(57)【要約】【課題】防臭効果を確実に発揮する。【解決手段】雨水マス１１用の防臭具１２は、マス本体部２１と、マス本体部２１の下端に設けられた泥溜め部２２と、マス本体部２１の側面に設けられた流出口２５と、を備える雨水マス１１に用いられる防臭具１２であって、雨水マス１１内に嵌合され泥溜め部２２を覆う蓋部４１を備え、蓋部４１の上面４１ａの高さ位置は、流出口２５の口頂高さＨ１未満となる。【選択図】図２
2019049181.tif 000002
【特許請求の範囲】
【請求項１】
マス本体部と、前記マス本体部の下端に設けられた泥溜め部と、前記マス本体部の側面に設けられた流出口と、を備える雨水マスに用いられる防臭具であって、
前記雨水マス内に嵌合され前記泥溜め部を覆う蓋部を備え、
前記蓋部の上面の高さ位置は、前記流出口の口頂高さ未満となる防臭具。
【請求項２】
前記蓋部の上面の高さ位置は、前記流出口の口底高さ以上となる請求項１に記載の防臭具。
【請求項３】
前記蓋部は、前記泥溜め部を閉塞する請求項１または２に記載の防臭具。
【請求項４】
前記蓋部は、変形可能または分解可能である請求項１から３のいずれか１項に記載の防臭具。
【請求項５】
マス本体部と、前記マス本体部の下端に設けられた泥溜め部と、前記マス本体部の側面に設けられた流出口と、を備える雨水マスと、
請求項１から４のいずれか１項に記載の防臭具と、を備える防臭具付き雨水マス。
【発明の詳細な説明】
【技術分野】
【０００１】
本発明は、雨水マス用の防臭具および防臭具付き雨水マスに関する。
【背景技術】
【０００２】
道路の両端部等の地下には、雨水マスが設置されている。この種の雨水マスの底部には、高さ１５０ｍｍ以上の泥溜め部が下水道法上、必要とされる。
近年、都市部では道路の舗装が進んでいる。そのため、雨水マスの泥溜め部に溜まる物は、土砂ではなくゴミや落ち葉（以下、「ゴミ等」という。）がほとんどである。ゴミ等が雨水と一緒に泥溜め部に滞留すると腐食する。その結果、雨水マスで異臭が発生する。
【０００３】
下記特許文献１に記載の雨水マスが知られている。この雨水マスは、中スクリーン装置を備えている。中スクリーン装置は、上下スイング可能な遮蔽部材を備えている。
この雨水マスによれば、降雨時に雨水の重量で遮蔽部材がスイングして開く。雨水の流入が無くなると、遮蔽部材がその自重を利用して逆向きにスイングして閉じる（重力開閉式）。これにより、ゴミ等の雨水マス内への侵入が抑えられる。
【先行技術文献】
【特許文献】
【０００４】
【特許文献１】特開２００４−２８５６６３号公報
【発明の概要】
【発明が解決しようとする課題】
【０００５】
前記従来の雨水マスでは、遮蔽部材が開いた後に閉じるとき、遮蔽部材と雨水マスの側面との間にゴミ等が噛み込むと、蓋が完全に閉まらなくなる。その結果、防臭効果が無くなるおそれがある。
【０００６】
本発明は、前述した事情に鑑みてなされたものであって、防臭効果を確実に発揮させることができる雨水マス用の防臭具を提供することを目的とする。
【課題を解決するための手段】
【０００７】
前記課題を解決するために、本発明は以下の手段を提案している。
本発明に係る雨水マス用の防臭具は、マス本体部と、前記マス本体部の下端に設けられた泥溜め部と、前記マス本体部の側面に設けられた流出口と、を備える雨水マスに用いられる防臭具であって、前記雨水マス内に嵌合され前記泥溜め部を覆う蓋部を備え、前記蓋部の上面の高さ位置は、前記流出口の口頂高さ未満となる。
【０００８】
蓋部が、雨水マス内に嵌合される。したがって、蓋部と雨水マスとの間に生じる嵌合力を利用して、蓋部を雨水マスに強固に固定することができる。これにより、例えば、蓋部の外周面と雨水マスの側面との間にゴミ等などが入り込むことが抑えられる。
蓋部の上面の高さ位置が、流出口の口頂高さ未満となる。したがって、外部から雨水マス内に侵入したゴミ等を、マス本体部から流出口を通して外部に排出することができる。
以上より、雨水マス内にゴミ等が滞留するのを抑えることが可能になり、防臭具による防臭効果を確実に発揮させることができる。
【０００９】
前記蓋部の上面の高さ位置は、前記流出口の口底高さ以上となってもよい。
【００１０】
蓋部の上面の高さ位置が、流出口の口底高さ以上となる。したがって、蓋部の上面上のゴミ等が、マス本体部から流出口に流出するときに、ゴミ等を、マス本体部の側面に引っかけることなく流出口に流出させることができる。これにより、ゴミ等をマス本体部内に滞留させることなく流出口に確実に流出させることができる。
【００１１】
前記蓋部は、前記泥溜め部を閉塞してもよい。
【００１２】
泥溜め部には水が貯留される。この水に蚊等が産卵して繁殖すると、例えば、雨水マスの清掃作業に影響が生じる。雨水マスの清掃は、例えば、交通量が多い市道などでは業者により行われ、その他の大半の箇所では、各自治会の清掃ボランティアにより行われる。清掃作業を考慮し、防蚊対策が望まれている。
蓋部が、泥溜め部を閉塞する。したがって、蓋部が泥溜め部の水面を覆い、泥溜め部内の水に蚊等が産卵するのを抑えることができる。仮に、泥溜め部内の水で蚊等が繁殖しても、この蚊等が泥溜め部から外部に移動することを蓋部によって規制することができる。よって、防臭具が防臭効果だけでなく防蚊効果も確実に発揮することができる。その結果、雨水マスの清掃作業を効率的に実現することができる。
【００１３】
前記蓋部は、変形可能または分解可能であってもよい。
【００１４】
蓋部が、変形可能または分解可能である。したがって、例えば、蓋部を雨水マスに対して装着させるときに、蓋部の形状を、蓋部が雨水マス内に嵌合されている形状に対して変化させることができる。これにより、例えば、雨水マスの上端の開口が狭い場合であっても、蓋部にこの開口を通過させ易くすることができる。よって、蓋部を雨水マスに着脱させる際の作業性を向上させることができる。その結果、雨水マスの清掃作業を効率的に実現することができる。
【００１５】
本発明に係る防臭具付きの雨水マスは、マス本体部と、前記マス本体部の下端に設けられた泥溜め部と、前記マス本体部の側面に設けられた流出口と、を備える雨水マスと、前記防臭具と、を備える。
【発明の効果】
【００１６】
本発明によれば、防臭効果を確実に発揮することができる。
【図面の簡単な説明】
【００１７】
【図１】本発明の第１実施形態に係る防臭具付き雨水マスの上面図である。
【図２】図１に示すＩＩ−ＩＩ断面矢視図である。
【図３】図１に示す防臭具付き雨水マスを構成する防臭具を上方から見た斜視図である。
【図４】図３に示す防臭具を下方から見た斜視図である。
【図５】図３に示すＶ−Ｖ断面矢視図である。
【図６】図３に示す防臭具を変形させた状態を示す斜視図である。
【図７】図３に示す防臭具の変形例を示す斜視図である。
【図８】本発明の第２実施形態に係る防臭具付き雨水マスの縦断面図（図２に相当する断面図）である。
【図９】図８に示す防臭具付き雨水マスを構成する防臭具の斜視図である。
【図１０】本発明の第３実施形態に係る防臭具付き雨水マスの縦断面図（図２に相当する断面図）である。
【図１１】図１０に示す防臭具付き雨水マスを構成する防臭具の斜視図である。
【図１２】本発明の第４実施形態に係る防臭具付き雨水マスの縦断面図（図２に相当する断面図）である。
【図１３】本発明の第４実施形態の第１変形例に係る防臭具付き雨水マスの上面図である。
【図１４】図１３に示すＸＩＶ矢印図（防臭具付き雨水マスの正面図）である。
【図１５】図１４に示すＸＶ−ＸＶ断面矢視図（防臭具付き雨水マスの縦断面図）である。
【図１６】本発明の第４実施形態の第２変形例に係る防臭具付き雨水マスの上面図である。
【図１７】図１６に示すＸＶＩＩ矢印図（防臭具付き雨水マスの正面図）である。
【図１８】図１７に示すＸＶＩＩＩ−ＸＶＩＩＩ断面矢視図（防臭具付き雨水マスの縦断面図）である。
【発明を実施するための形態】
【００１８】
（第１実施形態）
以下、図１から図６を参照し、本発明の第１実施形態に係る防臭具付き雨水マスを説明する。防臭具付き雨水マスは、例えば、道路の両端部等の地下に埋設される。防臭具付き雨水マスは、いわゆる雨水マスだけでなく、いわゆる雨水浸透マスを含む。
【００１９】
図１および図２に示すように、防臭具付き雨水マス１０は、雨水マス１１と、防臭具１２と、を備える。雨水マス１１は、マス本体部２１と、泥溜め部２２と、立ち上がり管２３と、流入口２４（流入管）と、流出口２５（流出管）と、を備える。マス本体部２１、立ち上がり管２３、流入口２４および流出口２５は、同一材料（例えば、ポリ塩化ビニルやポリプロピレン等）によって一体に形成されている。マス本体部２１、立ち上がり管２３、流入口２４および流出口２５は、１つの成形品２６を形成している。泥溜め部２２は、前記成形品２６に装着されている。
【００２０】
マス本体部２１、泥溜め部２２および立ち上がり管２３は、いずれも円筒状に形成されている。マス本体部２１、泥溜め部２２および立ち上がり管２３の各中心軸線は、共通軸上に位置している。以下では、前記共通軸をマス軸Ｏという。マス軸Ｏ方向を上下方向Ｚという。泥溜め部２２および立ち上がり管２３は、マス本体部２１を上下方向Ｚに挟む。上下方向Ｚに沿ってマス本体部２１に対する泥溜め部２２側を下側といい、立ち上がり管２３側を上側という。マス軸Ｏに直交する方向を径方向という。マス軸Ｏ回りに周回する方向を周方向という。
【００２１】
立ち上がり管２３は、マス本体部２１の上端に設けられている。地表からの雨水は、立ち上がり管２３からマス本体部２１内に流入する。立ち上がり管２３は、マス本体部２１よりも小径である。立ち上がり管２３は、マス本体部２１にテーパー部２７を介して接続されている。テーパー部２７は、マス本体部２１の上端と立ち上がり管２３の下端とを連結している。テーパー部２７は、上方に向かうに従い縮径している。
【００２２】
流入口２４および流出口２５はそれぞれ、マス本体部２１の側面に設けられている。流入口２４および流出口２５は、マス本体部２１から径方向の外側に突出する管状に形成されている。流入口２４および流出口２５は、マス本体部２１を間に挟んで互いの反対側に配置されている。なお、流入口２４および流出口２５は、管状に限られない。例えば、流入口２４および流出口２５が、マス本体部２１の側面に形成された貫通孔であってもよい。流入口２４および流出口２５が、マス本体部２１を間に挟んで互いに反対側に配置されていなくてもよい。例えば、流入口２４および流出口２５が、マス軸Ｏを中心とした中心角で９０°離間した位置に配置されていてもよい。
【００２３】
雨水マス１１の上面視において、流入口２４および流出口２５の各中心軸線は、共通軸上に位置している。前記共通軸は、前記上面視においてマス軸Ｏを通過している。以下では、前記上面視において前記共通軸が延びる方向を流動方向Ｘという。流動方向Ｘに沿う流入口２４側を上流Ｘ１という。流動方向Ｘに沿う流出口２５側を下流Ｘ２という。前記上面視において、流動方向Ｘに直交する方向を直交方向Ｙという。
【００２４】
流入口２４には、第１横引き管２８が内側から嵌合される。マス本体部２１には、第１横引き管２８を通して上流Ｘ１から雨水が流入する。雨水マス１１の上流Ｘ１には、例えば、他の雨水マスが配置される。
流出口２５には、第２横引き管２９が外側から嵌合される。マス本体部２１内の雨水は、第２横引き管２９を通して下流Ｘ２に流出する。雨水マス１１の下流Ｘ２には、例えば、合流マスが配置される。
【００２５】
図２に示すように、泥溜め部２２は、マス本体部２１の下端に設けられている。泥溜め部２２は、マス本体部２１の下端に嵌合されている。泥溜め部２２は、周壁部３０と、底壁部３１と、を備えている。底壁部３１は、周壁部３０の下端を閉塞している。周壁部３０および底壁部３１は、別々の成型品により形成されている。周壁部３０および底壁部３１は、例えば接着等により固着されている。
【００２６】
防臭具１２は、雨水マス１１に用いられる。防臭具１２は、雨水マス１１に着脱可能である。防臭具１２は、蓋部４１を備えている。
蓋部４１は、雨水マス１１内に嵌合され泥溜め部２２を覆っている。蓋部４１は、マス本体部２１の下端内に嵌合され、泥溜め部２２を閉塞している。蓋部４１の外周面は、弾性体（例えば、ゴムパッキン）により形成されている。蓋部４１は、マス本体部２１の下端内に締まり嵌めされている。本実施形態では、蓋部４１の外周面（弾性体）が弾性変形させられた状態で蓋部４１がマス本体部２１内に密に嵌合されていて、蓋部４１は、泥溜め部２２を密閉している。泥溜め部２２に水が溜まり蓋部４１に浮力が生じても、蓋部４１が外れないように蓋部４１が構成されている。
【００２７】
蓋部４１は、立ち上がり管２３よりも大径である。蓋部４１の中心軸線は、マス軸Ｏ上に位置している。なお蓋部４１は、泥溜め部２２の上端内に嵌合されていてもよい。この場合においても、蓋部４１が泥溜め部２２を閉塞する。
図３から図６に示すように、蓋部４１には、溝部４２と、指示部４３と、把持部４４と、錘部４５と、が設けられている。溝部４２、指示部４３および把持部４４は、蓋部４１の上面４１ａに設けられている。錘部４５は、蓋部４１の下面に設けられている。
【００２８】
溝部４２は、流動方向Ｘに沿って延び、蓋部４１を流動方向Ｘに横断している。溝部４２は、蓋部４１における直交方向Ｙの中央部に配置されている。溝部４２の底面４２ａは、直交方向Ｙから見た縦断面視において、水平面に対して傾斜している。溝部４２の底面４２ａ（蓋部４１の上面４１ａ）は、上流Ｘ１から下流Ｘ２に向かうに従って下方に延びている。
【００２９】
なお図示の例では、蓋部４１の上面４１ａにおいて溝部４２を除く部分（以下、「除外部分」という。）は、水平面に沿って延びていて、水平面に対して傾斜していない。その結果、溝部４２の底面４２ａは、前記除外部分に対して傾斜している。
蓋部４１の上面４１ａは、全域にわたって流動方向Ｘに平滑に形成されている。これにより、蓋部４１上で雨水が流動方向Ｘに滞留することが抑制される。
【００３０】
蓋部４１に溝部４２が設けられていることで、蓋部４１上を流動方向Ｘに流動する雨水が溝部４２に集約される。その上で、溝部４２の底面４２ａに上流Ｘ１から下流Ｘ２に向かう傾斜（流れ勾配）が設けられている。以上より、溝部４２に集約された雨水が上流Ｘ１から下流Ｘ２に向かって円滑に流動する。
【００３１】
指示部４３は、蓋部４１の上面４１ａが傾斜する方向（流れ勾配の方向）を指し示す。本実施形態では、指示部４３が、溝部４２の底面４２ａが傾斜する方向を指し示す。指示部４３は、溝部４２の底面４２ａに配置されている。指示部４３は、傾斜が下る方向（図示の例では、上流Ｘ１から下流Ｘ２に向かう方向）に向けて延びる矢印である。
【００３２】
指示部４３は、例えば塗装等により形成されている。指示部４３は、溝部４２の底面４２ａ（蓋部４１の上面４１ａ）における傾斜の程度に影響を与えない形態によって形成されている。指示部４３は、溝部４２の底面４２ａと実質的に面一に形成されていて、溝部４２の底面４２ａに段部を形成していない。
【００３３】
把持部４４は、蓋部４１から上下方向Ｚに突出している。作業者は、例えば、手や治具（例えば、Ｌ型フック）などを利用する把持部４４を把持する。把持部４４は、溝部４２に対して直交方向Ｙに並列して配置されている。把持部４４は、蓋部４１における上流Ｘ１側の端部に配置されている。
【００３４】
錘部４５は、蓋部４１全体の比重を高める。錘部４５は、例えば蓋部４１全体の比重が１（水の比重）以上になるように調整する。これにより、例えば、大量の降雨時であって、雨水から蓋部４１に予期せぬ外力が加えられたときに、蓋部４１（防臭具１２）が雨水マス１１内で暴れるのを抑制することができる。錘部４５は、流動方向Ｘに間隔をあけて一対配置されている。
【００３５】
蓋部４１の主要材料としては、耐薬品性（オイルに対する耐性を含む）に優れ、腐食しにくい材料が望ましい。蓋部４１の主要材料としては、例えば、合成木材、ＦＲＰ（ガラス繊維強化プラスチック）、熱硬化性樹脂、熱可塑性樹脂および金属などがある。合成木材としては、例えば、ガラス繊維強化ウレタン樹脂発泡体（製品名：「エスロン（登録商標）  ネオランバーＦＦＵ」、積水化学工業社製）等がある。熱硬化性樹脂としては、例えば、レジンコンクリート等がある。熱可塑性樹脂としては、ポリ塩化ビニル、ポリエチレンおよび廃プラスチック等がある。金属としては、例えば、ステンレス、鉄等がある。錘部４５は、蓋部４１の比重が１より小さい場合に適用することが好ましい。
【００３６】
蓋部４１は、変形可能または分解可能である。本実施形態では、蓋部４１は変形可能である。蓋部４１は、第１分割体４６と、第２分割体４７と、に分割されている。蓋部４１には、分割面４８が形成されている。分割面４８は、蓋部４１を、第１分割体４６および第２分割体４７の２つに分割する。分割面４８は、直交方向Ｙに延び、マス軸Ｏ上（蓋部４１の中心軸線上）を通過する。分割面４８は、蓋部４１を流動方向Ｘに２等分する。第１分割体４６および第２分割体４７にはそれぞれ、錘部４５が１つずつ配置されている。
【００３７】
なお、第１分割体４６および第２分割体４７の成形方法としては、例えば切出し加工やプレス加工、金型内への成形材料の注入や射出による成形などがある。
また分割面４８に、弾性部材（例えば、ゴムパッキン）が配置されていてもよい。この場合、分割面４８（第１分割体４６と第２分割体４７との間）に隙間があくのを抑制することができる。
【００３８】
第１分割体４６および第２分割体４７は、ヒンジ部材４９を介して連結されている。ヒンジ部材４９は、第１分割体４６および第２分割体４７をヒンジ軸Ｒ回りに回転可能に連結している。ヒンジ軸Ｒは、直交方向Ｙに沿って延びている。蓋部４１は、全体として流動方向Ｘに折曲可能とされている。折り曲げられた蓋部４１は、立ち上がり管２３から雨水マス１１内に進入可能である。折り曲げられた蓋部４１の流動方向Ｘの大きさは、立ち上がり管２３の内径よりも小さい。折り曲げられた蓋部４１は、マス本体部２１内で展開可能である。
【００３９】
ヒンジ部材４９は、蓋部４１の上面４１ａに配置されている。ヒンジ部材４９は、直交方向Ｙに間隔をあけて一対設けられている。一対のヒンジ部材４９は、直交方向Ｙに沿って溝部４２を間に挟んでいる。
蓋部４１には、規制部５０が更に設けられている。規制部５０は、第１分割体４６および第２分割体４７の相対的な移動の許容と規制とを切り替える。規制部５０は、蓋部４１の下面に設けられている。規制部５０は、いわゆるスナップ錠（パチン錠、ｄｒａｗ  ｌａｔｃｈ）によって形成されている。
【００４０】
図２に示すように、蓋部４１の上面４１ａ（溝部４２の底面４２ａ）の高さ位置は、流出口２５の口頂高さ（管頂高さ）Ｈ１未満である。流出口２５の口頂高さＨ１とは、流出口２５においてマス本体部２１に連結される端部（開口端部）のうち、最も上側に位置する部分の上下方向Ｚの高さ位置（泥溜め部２２の底壁部３１からの上下方向Ｚの距離）をいう。本実施形態では、蓋部４１の上面４１ａにおいて最も下流Ｘ２に位置する部分（以下、「蓋部４１の下流端部分」という。）の高さ位置が、流出口２５の口頂高さＨ１よりも低い。雨水マス１１内において蓋部４１の上面４１ａよりも上方に位置する空間は、流出口２５内に連通している。
【００４１】
蓋部４１の上面４１ａの高さ位置は、流出口２５の口底高さ（管底高さ）Ｈ２以上である。流出口２５の口底高さＨ２とは、流出口２５においてマス本体部２１に連結される端部（開口端部）のうち、最も下側に位置する部分の上下方向Ｚの高さ位置をいう。本実施形態では、蓋部４１の下流端部分の高さ位置が、流出口２５の口底高さＨ２と同等である。
【００４２】
以上説明したように、本実施形態に係る防臭具付き雨水マス１０によれば、蓋部４１が、雨水マス１１内に嵌合される。したがって、蓋部４１と雨水マス１１との間に生じる嵌合力を利用して、蓋部４１を雨水マス１１に強固に固定することができる。これにより、例えば、蓋部４１の外周面と雨水マス１１の側面との間にゴミ等などが入り込むことが抑えられる。
蓋部４１の上面４１ａの高さ位置が、流出口２５の口頂高さＨ１未満となる。したがって、外部から雨水マス１１内に侵入したゴミ等を、マス本体部２１から流出口２５を通して外部に排出することができる。
以上より、雨水マス１１内にゴミ等が滞留するのを抑えることが可能になり、防臭具１２による防臭効果を確実に発揮させることができる。
【００４３】
蓋部４１の上面４１ａの高さ位置が、流出口２５の口底高さＨ２以上となる。したがって、蓋部４１の上面４１ａ上のゴミ等が、マス本体部２１から流出口２５に流出するときに、ゴミ等を、マス本体部２１の側面に引っかけることなく流出口２５に流出させることができる。これにより、ゴミ等をマス本体部２１内に滞留させることなく流出口２５に確実に流出させることができる。
【００４４】
泥溜め部２２には水が貯留される。この水に蚊等が産卵して繁殖すると、例えば、雨水マス１１の清掃作業に影響が生じる。雨水マス１１の清掃は、例えば、交通量が多い市道などでは業者により行われ、その他の大半の箇所では、各自治会の清掃ボランティアにより行われる。清掃作業を考慮し、防蚊対策が望まれている。
蓋部４１が、泥溜め部２２を閉塞する。したがって、蓋部４１が泥溜め部２２の水面を覆い、泥溜め部２２内の水に蚊等が産卵するのを抑えることができる。仮に、泥溜め部２２内の水で蚊等が繁殖しても、この蚊等が泥溜め部２２から外部に移動することを蓋部４１によって規制することができる。よって、防臭具１２が防臭効果だけでなく防蚊効果も確実に発揮することができる。その結果、雨水マス１１の清掃作業を効率的に実現することができる。
【００４５】
蓋部４１が、変形可能または分解可能である。したがって、例えば、蓋部４１を雨水マス１１に対して装着させるときに、蓋部４１の形状を、蓋部４１が雨水マス１１内に嵌合されている形状に対して変化させることができる。これにより、例えば、雨水マス１１の上端の開口（立ち上がり管２３内）が狭い場合であっても、蓋部４１にこの開口を通過させ易くすることができる。よって、蓋部４１を雨水マス１１に着脱させる際の作業性を向上させることができる。その結果、雨水マス１１の清掃作業を効率的に実現することができる。
【００４６】
なお本実施形態では、溝部４２が、蓋部４１における直交方向Ｙの中央部に配置されているが、本発明はこれに限られない。例えば、図７に示すように、蓋部４１の上面４１ａの全域にわたって溝部４２が形成されていてもよい。溝部４２を流動方向Ｘから見た溝部４２の正面視において、溝部４２は、下方に向けて突となるＶ字状に形成されている。
【００４７】
（第２実施形態）
次に、本発明に係る第２実施形態の防臭具付き雨水マスを、図８および図９を参照して説明する。
なお、この第２実施形態においては、第１実施形態における構成要素と同一の部分については同一の符号を付し、その説明を省略し、異なる点についてのみ説明する。
【００４８】
本実施形態に係る防臭具付き雨水マス６０では、防臭具１２が、蓋部４１に加えて、支持部６１を更に備えている。支持部６１は、蓋部４１を支持する。本実施形態では、支持部６１が筒状に形成されている。支持部６１は、泥溜め部２２内に嵌合されている。支持部６１の下端は、泥溜め部２２の底壁部３１上に位置している。支持部６１の上端は、上流Ｘ１から下流Ｘ２に向かうに従い下方に延びていて、流れ勾配がついている。
【００４９】
蓋部４１は、支持部６１の上端内に嵌合されている。支持部６１は、泥溜め部２２に差し込まれることで泥溜め部２２に嵌合している。蓋部４１は、支持部６１を介して泥溜め部２２に嵌合されている。蓋部４１の上面４１ａには、溝部４２が設けられていない。蓋部４１の上面４１ａは全域にわたって、上流Ｘ１から下流Ｘ２に向かうに従い下方に延びていて、流れ勾配がついている。
【００５０】
なお支持部６１は、直交方向Ｙに２等分割されている。分割された支持部６１は、半円筒形状である。そのため、支持部６１を立ち上がり管２３から雨水マス１１内に進入させるときに、分割された支持部６１の周方向の両端部を接近させるように、支持部６１を弾性変形させることができる。これにより、分割された支持部６１の流動方向Ｘの大きさを、立ち上がり管２３の内径よりも小さくすることができる。その結果、支持部６１を雨水マス１１内に容易に進入させることができる。ただし、支持部６１は分割不能であってもよい。例えば、支持部６１を、外径が立ち上がり管２３の内径以下の円筒状に形成し、支持部６１を分解することなく、支持部６１を立ち上がり管２３内に進入可能としてもよい。さらに例えば、支持部６１の外周に弾性体からなるパッキンを設けてもよい。このパッキンによって、支持部６１の泥溜め部２２への挿入を容易にするとともに、支持部６１と泥溜め部２２とを連結するための摩擦力を得るように支持部６１を構成してもよい。
【００５１】
（第３実施形態）
次に、本発明に係る第３実施形態の防臭具付き雨水マスを、図１０および図１１を参照して説明する。
なお、この第３実施形態においては、第２実施形態における構成要素と同一の部分については同一の符号を付し、その説明を省略し、異なる点についてのみ説明する。
【００５２】
本実施形態に係る防臭具付き雨水マス７０では、支持部６１が、筒状に形成されていることに代えて、棒状に形成されている。支持部６１は、蓋部４１の下面に着脱可能に取り付けられている。支持部６１は、複数設けられている。各支持部６１は、蓋部４１の下面から下方に向けて延びている。各支持部６１の下端は、泥溜め部２２の底壁部３１上に位置している。蓋部４１は、マス本体部２１の下端内にゆるみ嵌め（遊嵌）されている。なお、支持部６１を含めた蓋部４１全体の比重が１より大きくなる場合、泥溜め部２２に水が溜まっても浮力によって蓋部４１が浮き上がらず、蓋部４１がゆるみ嵌めされていてもよい。また、例えば第１実施形態と同じく、蓋部４１の外周面に弾性体を設け、蓋部４１をマス本体部２１の下端や泥溜め部２２の上端に密に嵌合してもよい。
【００５３】
（第４実施形態）
次に、本発明に係る第４実施形態の防臭具付き雨水マスを、図１２を参照して説明する。
なお、この第４実施形態においては、第３実施形態における構成要素と同一の部分については同一の符号を付し、その説明を省略し、異なる点についてのみ説明する。
【００５４】
本実施形態に係る防臭具付き雨水マス８０では、支持部６１が、蓋部４１を上下動可能に支持している。支持部６１は、ボルト８１と、ナット８２と、を備えている。
ボルト８１は、蓋部４１を上下方向Ｚに貫通している。ボルト８１は、複数設けられている。図示の例では、ボルト８１は、第１分割体４６を貫通する第１ボルト８１ａと、第２分割体４７を貫通する第２ボルト８１ｂと、を備えている。
ナット８２は、各ボルト８１に装着されている。ナット８２は、蓋部４１を間に挟んで一対配置されている。一対のナット８２は、蓋部４１のボルト８１に対する上下方向Ｚの位置を決める。一対のナット８２のうち、蓋部４１の下側に位置するナット８２は、蓋部４１を支持し、蓋部４１の上側に位置するナット８２は、蓋部４１のボルト８１からの予期せぬ離脱を規制する。
【００５５】
なお、本発明の技術的範囲は前記実施形態に限定されるものではなく、本発明の趣旨を逸脱しない範囲において種々の変更を加えることが可能である。
【００５６】
規制部５０としては、スナップ錠に代えて、例えば、添え木を採用することができる。この場合、第１分割体４６および第２分割体４７の各下面に、流動方向Ｘに開口する受け口を設ける。第１分割体４６および第２分割体４７の各受け口に、共通の添え木を挿入することで、第１分割体４６および第２分割体４７の相対的な移動を規制することができる。
【００５７】
蓋部４１が分解可能であってもよい。この場合、第１分割体４６と第２分割体４７とをヒンジ部材４９を介して連結するのに代えて、磁石を介して分解可能に接合させていてもよい。
【００５８】
蓋部４１の上面４１ａの高さ位置は、流出口２５の口底高さＨ２以上でなくてもよい。この場合、例えば、蓋部４１が、泥溜め部２２内において、底壁部３１から上方に離間した部分（例えば、泥溜め部２２における上下方向Ｚの中央部や上端部）に嵌合されている構成を採用してもよい。
蓋部４１と、マス本体部２１または泥溜め部２２と、の間の隙間は、例えば、泥溜め部２２に生息する蚊の通り道などとなることから無いことが好ましい。しかしながら、蚊が通過できない程度の隙間は許容され、具体的には幅２ｍｍ以下の隙間はあってもよい。
雨水マス１１が、図１３〜図１８に示す雨水マス１１Ａのように、コンクリートによって形成されていてもよい。
【００５９】
図１３から図１５に示す防臭具付き雨水マス９０、および図１６から図１８に示す防臭具付き雨水マス１００は、前記第４実施形態に係る防臭具付き雨水マス８０の変形例である。これらの各防臭具付き雨水マス９０、１００では、雨水マス１１Ａが、クラッシャラン９１上に設けられている。雨水マス１１Ａは、下ブロック９２と、中ブロック９３と、上ブロック９４と、縁塊９５と、を備えている。これらの下ブロック９２、中ブロック９３、上ブロック９４および縁塊９５は、下方から上方にこの順に積み上げられている。
下ブロック９２は、有底筒状に形成され、クラッシャラン９１上に配置されている。
中ブロック９３、上ブロック９４および縁塊９５は、上下方向Ｚに開口する筒状に形成されている。図１３および図１６に示すように、縁塊９５の外形状は、上面視において矩形状に形成されている。縁塊９５の上端開口部についての内周縁の形状も、上面視において矩形状に形成されている。
この雨水マス１１Ａでは、流出口２５が、下ブロック９２の上部の側面に形成されているが、側面に流入口２４は形成されていない。言い換えると、雨水マス１１Ａの側面は、流出口２５を備えているが流入口２４を備えていない。雨水マス１１Ａには、縁塊９５内を通して外部の雨水などが流入し、この雨水が流出口２５から排出される。
上記雨水マス１１Ａでは、下ブロック９２の下部が泥溜め部２２を形成する。下ブロック９２の上部、中ブロック９３および上ブロック９４がマス本体部２１を形成する。縁塊９５が立ち上がり管２３を形成する。
【００６０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６１】
１０、６０、７０、８０、９０、１００   防臭具付き雨水マス
１１、１１Ａ   雨水マス
１２   防臭具
２１   マス本体部
２２   泥溜め部
２５   流出口
４１   蓋部
４１ａ 上面
Ｈ１   口頂高さ
Ｈ２   口底高さ
【図１】
2019049181.tif 000003
【図２】
2019049181.tif 000004
【図３】
2019049181.tif 000005
【図４】
2019049181.tif 000006
【図５】
2019049181.tif 000007
【図６】
2019049181.tif 000008
【図７】
2019049181.tif 000009
【図８】
2019049181.tif 000010
【図９】
2019049181.tif 000011
【図１０】
2019049181.tif 000012
【図１１】
2019049181.tif 000013
【図１２】
2019049181.tif 000014
【図１３】
2019049181.tif 000015
【図１４】
2019049181.tif 000016
【図１５】
2019049181.tif 000017
【図１６】
2019049181.tif 000018
【図１７】
2019049181.tif 000019
【図１８】
2019049181.tif 000020